【手続補正書】
【提出日】平成23年1月28日(2011.1.28)
【手続補正１】
【補正対象書類名】特許請求の範囲
【補正対象項目名】全文
【補正方法】変更
【補正の内容】
【特許請求の範囲】
【請求項１】
互いに独立して内部に放電ガスが封入された複数の発光管のアレイと、各発光管の長手方向に沿ったアドレス電極と、該アドレス電極との交差部に放電セルの表示ラインを画定するよう全ての発光管を横切る方向に延伸する複数の表示電極対とを備える発光管アレイ型表示装置において、
前記複数の発光管のうち少なくとも一の発光管の長手方向の複数の位置での輝度値と前記複数の発光管の長手方向の同一相対位置での輝度値とを取得する輝度値取得手段と、
前記一の発光管について取得した長手方向の複数の位置での輝度値に基づいて、該一の発光管の長手方向における輝度値の変化度合を算出する輝度値変化度合算出手段と、
同一相対位置での発光管ごとの輝度値及び算出した輝度値の変化度合を記憶する輝度情報記憶手段と、
記憶してある輝度値の変化度合及び同一相対位置での発光管ごとの輝度値に基づいて、前記複数の発光管各々の長手方向の各位置での補正輝度値を算出する補正手段と
を備えることを特徴とする発光管アレイ型表示装置。
【請求項２】
前記輝度値取得手段は、
前記輝度値変化度合算出手段にて算出された輝度値の変化度合が一定である場合、
前記同一相対位置を前記長手方向の略中間にしてあることを特徴とする請求項１記載の発光管アレイ型表示装置。
【請求項３】
前記輝度値取得手段は、
前記輝度値変化度合算出手段にて算出された輝度値の変化度合が、前記一の発光管の長手方向の所定の位置を境に変動するよう算出された場合、
変動した前記変化度合ごとに前記複数の発光管の長手方向の同一相対位置での輝度値を取得するようにしてあることを特徴とする請求項１記載の発光管アレイ型表示装置。
【請求項４】
互いに独立して内部に放電ガスが封入された複数の発光管のアレイと、各発光管の長手方向に沿ったアドレス電極と、該アドレス電極との交差部に放電セルの表示ラインを画定するよう全ての発光管を横切る方向に延伸する複数の表示電極対とを備える発光管アレイ型表示装置において、
前記複数の発光管のうち少なくとも一の発光管の長手方向の複数の位置での輝度値と前記複数の発光管の長手方向の同一相対位置での各輝度値とを取得する輝度値取得手段と、
前記一の発光管について取得した長手方向の複数の位置での輝度値に基づいて、該発光管の長手方向における輝度値の変化度合を算出する輝度値変化度合算出手段と、
同一相対位置において、隣接する同種の発光管の輝度値よりも所定の輝度高い輝度値を有する発光管を選択する発光管選択手段と、
選択した発光管の輝度値と、該発光管から所定範囲内に配置されている同種の発光管の輝度値とに基づいて、選択した発光管ごとに所定の割合で輝度値を減算する減算情報を算出する減算情報算出手段と、
選択した発光管ごとの前記同一相対位置での輝度値、前記減算情報及び算出した輝度値の変化度合を記憶する輝度情報記憶手段と、
記憶してある輝度値の変化度合、同一相対位置での輝度値及び減算情報に基づいて、選択した発光管各々の長手方向の各位置での補正輝度値を算出する補正手段と
を備えることを特徴とする発光管アレイ型表示装置。
【請求項５】
前記複数の発光管は、赤色用、緑色用及び青色用の３色の発光管で構成され、
前記輝度値取得手段は、前記緑色用の発光管の輝度値のみを取得するようにしてあることを特徴とする請求項１乃至４のいずれか一項に記載の発光管アレイ型表示装置。
【請求項６】
互いに独立して内部に放電ガスが封入された複数の発光管のアレイと、各発光管の長手方向に沿ったアドレス電極と、該アドレス電極との交差部に放電セルの表示ラインを画定するよう全ての発光管を横切る方向に延伸する複数の表示電極対とを備える発光管アレイ型表示装置の輝度補正方法において、
発光管の長手方向に沿った放電セルの輝度特性と、少なくとも１対の表示電極に沿った表示ラインの輝度特性とを事前に測定しておき、
測定した結果に基づいて、表示セルごとの位置に応じた輝度補正係数を演算し、
演算された輝度補正係数を用いて表示する輝度データを補正することを特徴とする輝度補正方法。
【請求項７】
前記発光管のアレイは、内部に赤、緑、青の蛍光体を有する発光管を循環的に配列した構成を有し、
色の異なる発光管のグループごとに、発光管の長手方向に沿った放電セルの輝度特性と、少なくとも１対の表示電極に沿った表示ラインの輝度特性とを事前に測定することを特徴とする請求項６記載の輝度補正方法。
【手続補正２】
【補正対象書類名】明細書
【補正対象項目名】発明の名称
【補正方法】変更
【補正の内容】
【発明の名称】発光管アレイ型表示装置及び輝度補正方法
【手続補正３】
【補正対象書類名】明細書
【補正対象項目名】０００１
【補正方法】変更
【補正の内容】
【０００１】
本発明は、複数の発光管を並列に配置してある発光管アレイを用いる発光管アレイ型表示サブモジュールを複数個互いに連結してある発光管アレイ型表示装置及び輝度補正方法に関し、さらに詳しくは、発光管アレイの輝度値のバラツキを低減することができる発光管アレイ型表示装置及び輝度補正方法に関する。
【手続補正４】
【補正対象書類名】明細書
【補正対象項目名】００１３
【補正方法】変更
【補正の内容】
【００１３】
本発明は斯かる事情に鑑みてなされたものであり、膨大なメモリ及び高速の演算回路を必要とすることなく、発光管アレイの輝度値のバラツキを低減することが可能な発光管アレイ型表示装置及び輝度補正方法を提供することを目的とする。
【手続補正５】
【補正対象書類名】明細書
【補正対象項目名】００１４
【補正方法】変更
【補正の内容】
【００１４】
上記目的を達成するために第１発明に係る発光管アレイ型表示装置は、互いに独立して内部に放電ガスが封入された複数の発光管のアレイと、各発光管の長手方向に沿ったアドレス電極と、該アドレス電極との交差部に放電セルの表示ラインを画定するよう全ての発光管を横切る方向に延伸する複数の表示電極対とを備える発光管アレイ型表示装置において、前記複数の発光管のうち少なくとも一の発光管の長手方向の複数の位置での輝度値と前記複数の発光管の長手方向の同一相対位置での輝度値とを取得する輝度値取得手段と、前記一の発光管について取得した長手方向の複数の位置での輝度値に基づいて、該一の発光管の長手方向における輝度値の変化度合を算出する輝度値変化度合算出手段と、同一相対位置での発光管ごとの輝度値及び算出した輝度値の変化度合を記憶する輝度情報記憶手段と、記憶してある輝度値の変化度合及び同一相対位置での発光管ごとの輝度値に基づいて、前記複数の発光管各々の長手方向の各位置での補正輝度値を算出する補正手段とを備えることを特徴とする。
【手続補正６】
【補正対象書類名】明細書
【補正対象項目名】００１６
【補正方法】変更
【補正の内容】
【００１６】
また、第２発明に係る発光管アレイ型表示装置は、第１発明において、前記輝度値取得手段は、前記輝度値変化度合算出手段にて算出された輝度値の変化度合が一定である場合、前記同一相対位置を前記長手方向の略中間にしてあることを特徴とする。
【手続補正７】
【補正対象書類名】明細書
【補正対象項目名】００１８
【補正方法】変更
【補正の内容】
【００１８】
また、第３発明に係る発光管アレイ型表示装置は、第１発明において、前記輝度値取得手段は、前記輝度値変化度合算出手段にて算出された輝度値の変化度合が、前記一の発光管の長手方向の所定の位置を境に変動するよう算出された場合、変動した前記変化度合ごとに前記複数の発光管の長手方向の同一相対位置での輝度値を取得するようにしてあることを特徴とする。
【手続補正８】
【補正対象書類名】明細書
【補正対象項目名】００２０
【補正方法】変更
【補正の内容】
【００２０】
また、第４発明に係る発光管アレイ型表示装置は、互いに独立して内部に放電ガスが封入された複数の発光管のアレイと、各発光管の長手方向に沿ったアドレス電極と、該アドレス電極との交差部に放電セルの表示ラインを画定するよう全ての発光管を横切る方向に延伸する複数の表示電極対とを備える発光管アレイ型表示装置において、前記複数の発光管のうち少なくとも一の発光管の長手方向の複数の位置での輝度値と前記複数の発光管の長手方向の同一相対位置での各輝度値とを取得する輝度値取得手段と、前記一の発光管について取得した長手方向の複数の位置での輝度値に基づいて、該発光管の長手方向における輝度値の変化度合を算出する輝度値変化度合算出手段と、同一相対位置において、隣接する同種の発光管の輝度値よりも所定の輝度高い輝度値を有する発光管を選択する発光管選択手段と、選択した発光管の輝度値と、該発光管から所定範囲内に配置されている同種の発光管の輝度値とに基づいて、選択した発光管ごとに所定の割合で輝度値を減算する減算情報を算出する減算情報算出手段と、選択した発光管ごとの前記同一相対位置での輝度値、前記減算情報及び算出した輝度値の変化度合を記憶する輝度情報記憶手段と、記憶してある輝度値の変化度合、同一相対位置での輝度値及び減算情報に基づいて、選択した発光管各々の長手方向の各位置での補正輝度値を算出する補正手段とを備えることを特徴とする。
【手続補正９】
【補正対象書類名】明細書
【補正対象項目名】００２２
【補正方法】変更
【補正の内容】
【００２２】
また、第５発明に係る発光管アレイ型表示装置は、第１乃至第４発明のいずれか１つにおいて、前記複数の発光管は、赤色用、緑色用及び青色用の３色の発光管で構成され、前記輝度値取得手段は、前記緑色用の発光管の輝度値のみを取得するようにしてあることを特徴とする。
【手続補正１０】
【補正対象書類名】明細書
【補正対象項目名】００２４
【補正方法】変更
【補正の内容】
【００２４】
また、第６発明に係る輝度補正方法は、互いに独立して内部に放電ガスが封入された複数の発光管のアレイと、各発光管の長手方向に沿ったアドレス電極と、該アドレス電極との交差部に放電セルの表示ラインを画定するよう全ての発光管を横切る方向に延伸する複数の表示電極対とを備える発光管アレイ型表示装置の輝度補正方法において、発光管の長手方向に沿った放電セルの輝度特性と、少なくとも１対の表示電極に沿った表示ラインの輝度特性とを事前に測定しておき、測定した結果に基づいて、表示セルごとの位置に応じた輝度補正係数を演算し、演算された輝度補正係数を用いて表示する輝度データを補正することを特徴とする。
【手続補正１１】
【補正対象書類名】明細書
【補正対象項目名】００２５
【補正方法】変更
【補正の内容】
【００２５】
第６発明では、発光管の長手方向に沿った放電セルの輝度特性と、少なくとも１対の表示電極に沿った表示ラインの輝度特性とを事前に測定しておき、測定した結果に基づいて、表示セルごとの位置に応じた輝度補正係数を演算し、演算された輝度補正係数を用いて表示する輝度データを補正する。発光管アレイを構成する複数の発光管は、発光管の長手方向の輝度の変化度合が一定であり、発光管の長手方向に沿った放電セルの輝度特性と、少なくとも１対の表示電極に沿った表示ラインの輝度特性とを事前に測定しておくことで、全ての発光管の輝度値の変化度合を把握することができ、発光管アレイの輝度値のバラツキを低減することが可能となる。したがって、膨大なメモリ及び高速の演算回路を必要とすることなく、少なくとも一の発光管の輝度値の変化度合及び全ての発光管の同一相対位置での輝度値のみを用いることで、表示装置の全画素の画像データの輝度を補正することが可能となる。
【手続補正１２】
【補正対象書類名】明細書
【補正対象項目名】００２６
【補正方法】変更
【補正の内容】
【００２６】
また、第７発明に係る輝度補正方法は、第６発明において、前記発光管のアレイは、内部に赤、緑、青の蛍光体を有する発光管を循環的に配列した構成を有し、色の異なる発光管のグループごとに、発光管の長手方向に沿った放電セルの輝度特性と、少なくとも１対の表示電極に沿った表示ラインの輝度特性とを事前に測定することを特徴とする。
【手続補正１３】
【補正対象書類名】明細書
【補正対象項目名】００２７
【補正方法】変更
【補正の内容】
【００２７】
第７発明では、発光管のアレイは、内部に赤、緑、青の蛍光体を有する発光管を循環的に配列した構成を有しており、色の異なる発光管のグループごとに、発光管の長手方向に沿った放電セルの輝度特性と、少なくとも１対の表示電極に沿った表示ラインの輝度特性とを事前に測定する。これにより、赤、緑、青それぞれの発光管のグループごとに輝度特性を事前に測定しておくことで、グループごとに属している発光管の輝度値の変化度合を把握することができ、発光管アレイの輝度値のバラツキを低減することが可能となる。したがって、膨大なメモリ及び高速の演算回路を必要とすることなく、少なくとも一の発光管の輝度値の変化度合及び全ての発光管の同一相対位置での輝度値のみを用いることで、表示装置の全画素の画像データの輝度を補正することが可能となる。
【手続補正１４】
【補正対象書類名】明細書
【補正対象項目名】００２９
【補正方法】変更
【補正の内容】
【００２９】
以下、本発明の実施の形態に係る発光管アレイ型表示装置について、図面に基づいて詳細に説明する。
【手続補正１５】
【補正対象書類名】明細書
【補正対象項目名】００３０
【補正方法】変更
【補正の内容】
【００３０】
（実施の形態１）
図２は、本発明の実施の形態１に係る発光管アレイ型表示装置の構成を示す模式図である。図２に示すように本実施の形態１に係る発光管アレイ型表示装置１は、駆動ユニット２と、発光管アレイ型表示サブモジュールを縦横に複数接続してなる発光管アレイ型表示システムモジュール３とで構成される。駆動ユニット２は、少なくともコントローラ２１、Ｘドライバ２３、スキャンドライバ２４、Ｙ共通ドライバ２５、及びアドレスドライバ２６で構成されている。駆動ユニット２には、ＴＶチューナ、コンピュータ等の外部装置から輝度レベル（階調レベル）を示す画素単位のフィールドデータを含む画像データが、各種の同期信号とともに入力される。
【手続補正１６】
【補正対象書類名】明細書
【補正対象項目名】００３３
【補正方法】変更
【補正の内容】
【００３３】
図３は、本発明の実施の形態１に係る発光管アレイ型表示装置１の発光管アレイ型表示システムモジュール３を構成する発光管アレイ型表示サブモジュールの発光管アレイの構成を模式的に示す斜視図である。図３（ａ）は、発光管アレイ型表示サブモジュールの発光管アレイの構成を模式的に示す斜視図であり、図３（ｂ）は、発光管アレイ型表示サブモジュールの発光管アレイの構成を部分的に示す斜視図であり、図３（ｃ）は、発光管アレイ型表示サブモジュールを縦横に接続した状態を示す斜視図である。
【手続補正１７】
【補正対象書類名】明細書
【補正対象項目名】００４９
【補正方法】変更
【補正の内容】
【００４９】
上述の発光管３１、３１、・・・の輝度値の変化度合の特性は、Ｒ用の複数の発光管３１、３１、・・・だけでなく、Ｇ用及びＢ用の複数の発光管３１、３１、・・・についても同様である。したがって、本実施の形態１に係る発光管アレイ型表示装置１では、ＲＧＢ各色について、少なくとも一の発光管３１の長手方向Ｌの複数の位置での輝度値と、複数の発光管３１、３１、・・・の長手方向の同一相対位置での輝度値とを取得する。取得した一の発光管３１の長手方向Ｌの複数の位置での輝度値から輝度値の変化度合を算出し、取得した発光管ごとの同一相対位置での輝度値及び算出した輝度値の変化度合を記憶する。
【手続補正１８】
【補正対象書類名】明細書
【補正対象項目名】００５０
【補正方法】変更
【補正の内容】
【００５０】
次に、上述した構成の発光管アレイ型表示装置１の動作について、フロ−チャートに基づいて詳細に説明する。図８は、本発明の実施の形態１に係る発光管アレイ型表示装置１の駆動ユニット２のコントローラ２１の処理手順を示すフローチャートである。
【手続補正１９】
【補正対象書類名】明細書
【補正対象項目名】００５７
【補正方法】変更
【補正の内容】
【００５７】
（実施の形態２）
本発明の実施の形態２に係る発光管アレイ型表示装置１のハードウェア構成は、実施の形態１と同様であることから、同一の符号を付することにより詳細な説明を省略する。また本実施の形態２に係る発光管アレイ型表示装置１の駆動ユニット２のコントローラ２１の機能構成は、実施の形態１と同様であることから、同一の符号を付することにより、詳細な説明は省略する。
【手続補正２０】
【補正対象書類名】明細書
【補正対象項目名】００６０
【補正方法】変更
【補正の内容】
【００６０】
図１０は、本発明の実施の形態２に係る発光管アレイ型表示装置１の駆動ユニット２のコントローラ２１の処理手順を示すフローチャートである。図１０に示すように駆動ユニット２のコントローラ２１は、ＲＧＢ各色について、発光管アレイを構成する各色用の複数の発光管３１、３１、・・・のうちいずれか一の発光管３１の長手方向Ｌの複数の位置での輝度値を取得する（ステップＳ１００１）。コントローラ２１は、色ごとに取得した一の発光管３１の長手方向の複数の位置での輝度値に基づいて、一の発光管３１の長手方向における輝度値の変化度合を算出し（ステップＳ１００２）、メモリ２２２に記憶する（ステップＳ１００３）。本実施の形態２では、傾きが異なる２つの直線の組み合わせとして、それぞれ切片情報と傾き情報とが算出される。
【手続補正２１】
【補正対象書類名】明細書
【補正対象項目名】００６４
【補正方法】変更
【補正の内容】
【００６４】
（実施の形態３）
本発明の実施の形態３に係る発光管アレイ型表示装置１のハードウェア構成は、実施の形態１と同様であることから、同一の符号を付することにより詳細な説明を省略する。図１１は、本発明の実施の形態３に係る発光管アレイ型表示装置１の駆動ユニット２のコントローラ２１の機能構成を示すブロック図である。図１１に示すように本実施の形態３に係る発光管アレイ型表示装置１の駆動ユニット２のコントローラ２１の機能構成は、実施の形態１と同様であることから、同一の機能構成には同一の符号を付することにより、詳細な説明は省略する。
【手続補正２２】
【補正対象書類名】明細書
【補正対象項目名】００７１
【補正方法】変更
【補正の内容】
【００７１】
図１４は、本発明の実施の形態３に係る発光管アレイ型表示装置１の駆動ユニット２のコントローラ２１の処理手順を示すフローチャートである。図１４に示すように駆動ユニット２のコントローラ２１は、ＲＧＢ各色について、発光管アレイを構成する各色用の複数の発光管３１、３１、・・・のうちいずれか一の発光管３１の長手方向Ｌの複数の位置での輝度値を取得する（ステップＳ１４０１）。コントローラ２１は、色ごとに取得した一の発光管３１の長手方向の複数の位置での輝度値に基づいて、各色用の一の発光管３１の長手方向における輝度値の変化度合を算出し（ステップＳ１４０２）、メモリ２２２に記憶する（ステップＳ１４０３）。
【手続補正２３】
【補正対象書類名】明細書
【補正対象項目名】００８１
【補正方法】変更
【補正の内容】
【００８１】
【図１】従来の発光管アレイ型表示サブモジュールの発光管アレイの構成を模式的に示す斜視図である。
【図２】本発明の実施の形態１に係る発光管アレイ型表示装置の構成を示す模式図である。
【図３】本発明の実施の形態１に係る発光管アレイ型表示装置の発光管アレイ型表示システムモジュールを構成する発光管アレイ型表示サブモジュールの発光管アレイの構成を模式的に示す斜視図である。
【図４】コントローラの機能構成を示すブロック図である。
【図５】発光管の輝度値が異なる状態を模式的に示す例示図である。
【図６】発光管の長手方向の輝度値の変化度合の第一例を説明する例示図である。
【図７】発光管の長手方向の輝度値の変化度合の第二例を説明する例示図である。
【図８】本発明の実施の形態１に係る発光管アレイ型表示装置の駆動ユニットのコントローラの処理手順を示すフローチャートである。
【図９】発光管の長手方向の輝度値の変化度合の第三例を説明する例示図である。
【図１０】本発明の実施の形態２に係る発光管アレイ型表示装置の駆動ユニットのコントローラの処理手順を示すフローチャートである。
【図１１】本発明の実施の形態３に係る発光管アレイ型表示装置の駆動ユニットのコントローラの機能構成を示すブロック図である。
【図１２】Ｒ用の複数の発光管から輝度差が大きい位置の発光管を選択する基準の一例を説明するための例示図である。
【図１３】Ｒ用の複数の発光管から輝度差が大きい位置の発光管を選択する基準の他の例を説明するための例示図である。
【図１４】本発明の実施の形態３に係る発光管アレイ型表示装置の駆動ユニットのコントローラの処理手順を示すフローチャートである。
【図１５】Ｒ３用の発光管の減算情報の例示図である。
【図１６】Ｒ３用の発光管の輝度値補正の例示図である。
【手続補正２４】
【補正対象書類名】明細書
【補正対象項目名】００８２
【補正方法】変更
【補正の内容】
【００８２】
１  発光管アレイ型表示装置
２  駆動ユニット
３  発光管アレイ型表示システムモジュール
２１  コントローラ
３１  発光管
３２  アドレス電極
３４  表示電極（対）
２１１  輝度値取得手段
２１２  輝度値変化度合算出手段
２１３  輝度情報記憶手段
２１４  補正手段
２２２  メモリ